(57)【要約】【課題】再封するために折り曲げて係止するといった手間を掛ける必要がなく、開封した状態で倒しても内容物が流れ出す恐れのない包装袋を提供する。【解決手段】内容物収納部５より突き出し、内容物を注ぎ出すための通路となる注出路７が設けられた包装袋であって、注出路が略矩形となっていて、注出路の長さが、注出路の幅より大きい。好ましくは、注出路の長さが２０ｍｍ以上、４０ｍｍ以下であり、注出路の幅が１０ｍｍ以上、１５ｍｍ以下である。【選択図】図１
2015199523.tif 000002
【特許請求の範囲】
【請求項１】
内容物収納部より突き出し、内容物を注ぎ出すための通路となる注出路が設けられた包装袋であって、
前記注出路が略矩形となっていて、注出路の長さが、注出路の幅より大きいことを特徴とする包装袋。
【請求項２】
前記注出路の長さが２０ｍｍ以上、４０ｍｍ以下、前記注出路の幅が１０ｍｍ以上、１５ｍｍ以下であることを特徴とする請求項１に記載の包装袋。
【発明の詳細な説明】
【技術分野】
【０００１】
本発明は、包装袋に関するものである。更に詳しくは再封機能を有する包装袋に関するものである。
【背景技術】
【０００２】
従来から液体用スタンディングパウチが詰め替え用包装袋として広く用いられている。このような詰め替え用包装袋は、繰り返し使用する容器に、いちどきに内容物を詰め替えてしまうため、再封する必要がなく再封性が付与されていなかった。
【０００３】
ところが、最近では複数回詰め替えることができるように、繰り返し使用する容器の容量より大きな詰め替え用パウチが用いられることがあり、詰め替え用パウチでも再封性が求められるようになってきた。
【０００４】
再封性のある液体用包装袋としては、口栓付のスタンディングパウチがあるが、口栓を別途成形して、包装袋に取り付けるため、材料費や取り付けるための加工の手間がかかる。このため、口栓を用いずに再封性を付与した包装袋が開発されている。
【０００５】
口栓を用いない再封性のある包装袋としては、例えば、ヒートシール部の開封案内部より包装袋本体部寄りの位置に切込みを設けて係止片を形成し、包装体を折り返した際に、係止片がヒートシール部に係止可能になっていて、再封出来るようになっている包装袋がある（特許文献１）。
【０００６】
このように折り曲げて再封する包装袋では、剛性のあるヒートシール部を折り曲げるのが難しいとして、折り曲げ部又はその近傍に、連続的あるいは断続的な切れ目などによる折曲補助手段を設けて、折り曲げやすくした包装袋もある（特許文献２）。
【０００７】
これらの包装袋では、再封するために折り曲げて係止するといった手間がかかる。また、係止が外れる恐れがあり、外れた場合、倒したりすると内容物が流れ出してしまう恐れがある。
【０００８】
公知文献を以下に示す。
【先行技術文献】
【特許文献】
【０００９】
【特許文献１】特開２００６−２４０６９１号公報
【特許文献２】特開２０１３−６６０３号公報
【発明の概要】
【発明が解決しようとする課題】
【００１０】
本発明は上記した事情に鑑みてなされたもので、再封するために折り曲げて係止するといった手間を掛ける必要がなく、開封した状態で倒しても内容物が流れ出す恐れのない包装袋を提供することを課題とする。
【課題を解決するための手段】
【００１１】
本発明の請求項１に係る発明は、内容物収納部より突き出し、内容物を注ぎ出すための通路となる注出路が設けられた包装袋であって、
前記注出路が略矩形となっていて、注出路の長さが、注出路の幅より大きいことを特徴と
する包装袋である。
【００１２】
本発明の請求項２の発明は、前記注出路の長さが２０ｍｍ以上、４０ｍｍ以下、前記注出路の幅が１０ｍｍ以上、１５ｍｍ以下であることを特徴とする請求項１に記載の包装袋である。
【発明の効果】
【００１３】
本発明の包装袋は、再封するために手間を掛ける必要がなく、開封した状態で倒しても内容物が流れ出す恐れがない。
【図面の簡単な説明】
【００１４】
【図１】本発明の包装袋の一例を模式的に示した説明図である。
【図２】図１の部分Ｘの拡大図である。
【図３】本発明の包装袋の一例を逆さまにしたときの内容物の状態を示す説明図である。（Ａ）注出路付近の状態を示す説明図である。（Ｂ）（Ａ）のＹ−Ｙ断面図である。
【図４】本発明の包装袋の他の例を模式的に示した説明図である。
【図５】図４の部分Ｚの拡大図である。
【発明を実施するための形態】
【００１５】
以下本発明を実施するための形態につき説明する。
図１は、本発明の包装袋の一例を模式的に示した説明図である。
図２は、図１の部分Ｘの拡大図である。
図３は、本発明の包装袋の一例を逆さまにしたときの内容物の状態を示す説明図である。（Ａ）注出路付近の状態を示す説明図である。（Ｂ）（Ａ）のＹ−Ｙ断面図である。
【００１６】
本例の包装袋１００は、表フィルムと裏フィルムとを重ねあわせて、図１のように、上部に天シール部１と、左右にサイドシール部２、３と、下部に底シール部４が設けられている。これらのシール部で囲まれた内容物収納部５が設けられている。そして、天シール部１の中央から、上方に突き出したノズル６が設けられている。
【００１７】
ノズル６は両側部がシールされていてこのシール部に挟まれた矩形の注出路７が設けられ、注出路７は、内容物収納部５より突き出して連通している。また、注出路７を開封する為の開封予定線８が設けられ、開封予定線８の両端のシール部には、ノッチ９、９が設けられている。開封予定線８は、本例では易切断線で設けられ、外面側からのハーフカットで設けられている。
【００１８】
サイドシール部２、３は、幅広に設けられ、縦長の独立気体充填室１０、１０が設けられている。独立気体充填室１０、１０は、サイドシール部２、３の中に設けられた未シール部で中に空気などの気体が充填され、膨らんでいる。独立気体充填室９、９を設けることにより、包装袋１００の自立性を高めるとともに、持ちやすくなっている。
【００１９】
底シール部４は、底テープ１１を２つ折りにして、２つ折りにした底テープ１１の折り部を上にして、重ねた表フィルムと裏フィルムとの間の下端部に挟み込み、底部を舟底形にシールする。
【００２０】
このとき、部分的に底テープ１１の側部をあらかじめ打ち抜いておき、表フィルムと裏フィルムとが、底シール部４の側部でシールされた接合部１２、１２を設けて、底シール部４の側部が開かないようにする。このようにすることで自立しやすくしている。
【００２１】
図２に示す、図１の部分Ｘを拡大した図２の拡大図のように、開封予定線８で開封した
注出路７の長さａは、注出路７の幅ｂより大きくなっている。このため、包装袋１００を開封した状態で倒しても内容物が流れ出す恐れなく、また、内容物を注ぎ出すときには、包装袋１００を表裏から押すことによって、注ぎ出すことができる。特に、注出路７の長さが２０ｍｍ以上、４０ｍｍ以下で、且つ、注出路７の幅が１０ｍｍ以上、１５ｍｍ以下であることが、好ましい。
【００２２】
包装袋１００を開封予定線８で切断して、開封して、逆さまにしたときの内容物の状態を図３により説明する。図３（Ａ）注出路付近の状態を示す説明図、図３（Ｂ）（Ａ）のＹ−Ｙ断面図のように、注出路７の近傍では、内容物により、左右中央に膨らんだ山部ｃが、内容物収納部５より注出路７に伸びている。山部ｃの左右は、へこんだ谷部ｄになり、注出路７の先端よりが、表裏のフィルムが密着して、閉塞部ｅを形成する。この閉塞部ｅができるために、包装袋１００を傾けたり、ひっくり返したりしても、内容物が漏れることがない。
【００２３】
この包装袋１００を傾けたり、ひっくり返したりした状態で、内容物を注ぎ出すには、谷部ｄより底シール部４側で、山部ｃを表裏から押すことによって、閉塞部ｅが注出路７の先端側に後退していき、山部ｃが先端まで伸びて、開封部から内容物を注ぎ出すことができる。
【００２４】
本発明の包装袋１００で用いられる表フィルムと裏フィルムあるいは底テープ１１は、基材とシーラントフィルムが積層された積層フィルムからなっている。
【００２５】
基材としては、ナイロン、ポリエチレンテレフタレート、ポリプロピレン等の樹脂の２軸延伸、あるいは、１軸延伸、未延伸のプラスチックフィルムが好ましく使用できる。その場合の厚さは１２〜５０μｍ程度である。
【００２６】
基材を多層にして設けても良い。多層の基材としては、外層側から、ポリエチレンテレフタレート／ナイロン、ナイロン／ポリエチレンテレフタレート、ナイロン／無機酸化物蒸着ポリエチレンテレフタレート、ナイロン／アルミニウム蒸着ポリエチレンテレフタレート、ナイロン／アルミニウム箔、ポリエチレンテレフタレート／アルミニウム箔などの積層したフィルムを用いることができる。
【００２７】
シーラントフィルムには、熱溶融性樹脂が用いられる。ポリプロピレンや、低密度ポリエチレン、直鎖状低密度ポリエチレン、あるいは、酸変性ポリエチレンなどが用いられる。特に、直鎖状低密度ポリエチレンが好ましく用いられる。
【００２８】
積層フィルムの積層方法は、ドライラミネート法で行っても良い。また、サンドイッチラミネート法で行ってもかまわない。また、場合によっては、シーラントフィルムを押出機から製膜しながら押出して、基材に貼り合わせる押出ラミネート法で行っても良い。
【００２９】
また、絵柄印刷層を基材フィルムの裏面に設けることができる。絵柄印刷層を設ける印刷方式は、特に限定するものではないが、通常、グラビア印刷、あるいは、フレキソ印刷が用いられる。
【００３０】
包装袋１００を製造するには、底テープ１１を２つ折りにして、部分的に底テープ１１の側部を打ち抜いておき、接合部１２、１２を設け、２つ折りにした底テープ１１の折り部を上にして、重ねた表フィルムと裏フィルムとの間の下端部に挟み込み、天シール部１、サイドシール部２、３、底シール部４をシールする。
【００３１】
このとき、内容物を充填するための充填口を、天シール部１やノズル６の先端部を未シ
ールにしておき、内容物充填後、シールするようにする。また、サイドシール部２、３には、独立気体充填室１０、１０の部分を未シールにしておき、製袋後、未シール部に気体を充填して独立気体充填室１０、１０を形成する。
【００３２】
周縁部をシールしたら、外形を断裁や抜き加工によって形成する。開封予定線８は、抜き加工時にハーフカット刃で設けたり、あらかじめ、ロール刃で設けたりしてもよいが、本例では、抜きの前または後にレーザによるハーフカット加工を行い設ける。これにより、包装袋１００が製袋される。
【００３３】
次に本発明の包装袋の他の例について説明する。
図４は、本発明の包装袋の他の例を模式的に示した説明図、図５は、図４の部分Ｚの拡大図である。
【００３４】
本例の包装袋２００は、表フィルムと裏フィルムとを重ねあわせて、図４のように、上部に天シール部２１と、左右にサイドシール部２２、２３と、下部に底シール部２４が設けられている。これらのシール部で囲まれた内容物収納部２５が設けられている。そして、天シール部２１の図の左側のサイドシール部２２に寄せて、矩形の注出路２７が設けられ、注出路２７は、内容物収納部２５より突き出して連通している。
【００３５】
天シール部２１は、注出路２７を設けた部分以外では、広幅に設けられている。そして、破線上の切れ目による開封誘導線２８が設けられ、右端にはノッチ２９が設けられている。矩形の注出路２７は、この広幅の天シール部２１とサイドシール部２２の２つのシール部に挟まれて設けられている。
【００３６】
注出路２７の部分の表フィルムと裏フィルムには、注出路２７を開封する為の開封予定線３０が設けられ、開封予定線３０は、本例では易切断線で設けられ、外面側からのハーフカットで設けられている。また、開封予定線３０は、切れ目による開封誘導線２８の延長線上に設けられている。さらに、開封予定線８の延長線上のサイドシール部２２の左の端部にはＩノッチ３１が設けられている。
【００３７】
サイドシール部２３は、幅広に設けられ、縦長の独立気体充填室３２が設けられている。独立気体充填室３２は、サイドシール部２３の中に設けられた未シール部で中に空気などの気体が充填され、膨らんでいる。独立気体充填室３２を設けることにより、包装袋２００の自立性を高めるとともに、注ぎ出すときなどに持ちやすくなっている。
【００３８】
底シール部２４は、底テープ３３を２つ折りにして、２つ折りにした底テープ３３の折り部を上にして、重ねた表フィルムと裏フィルムとの間の下端部に挟み込み、底部を舟底形にシールする。
【００３９】
このとき、部分的に底テープ３３の側部をあらかじめ打ち抜いておき、表フィルムと裏フィルムとが、底シール部２４の側部でシールされた接合部３４、３４を設けて、底シール部２４の側部が開かないようにする。このようにすることで自立しやすくしている。
【００４０】
図４の部分Ｚを拡大した図５の拡大図のように、開封予定線３０で開封した注出路７の長さｆは、注出路７の幅ｇより大きくなっている。このため、包装袋２００を開封した状態で倒しても内容物が流れ出す恐れなく、また、内容物を注ぎ出すときには、包装袋２００を表裏から押すことによって、注ぎ出すことができる。特に、注出路７の長さが２０ｍｍ以上、４０ｍｍ以下で、且つ、注出路７の幅が１０ｍｍ以上、１５ｍｍ以下であることが、好ましい。
【００４１】
包装袋２００を開封予定線３０で切断して、開封して、逆さまにしたときの内容物の状態は、包装袋１００と同様であり、包装袋２００を傾けたり、ひっくり返したりしても、内容物が漏れることがない。そして、この包装袋２００を傾けたり、ひっくり返したりした状態で、内容物を注ぎ出すには、包装袋１００と同様に、表裏から押すことによって、開封部から内容物を注ぎ出すことができる。
【００４２】
本発明の本発明の包装袋で用いられる表フィルムと裏フィルムあるいは底テープ１１は、基材とシーラントフィルムが積層された積層フィルムからなっていて、基材、シーラントフィルムは、包装袋１００と同様なものを用いることができる。包装袋２００の製造する方法も、略包装袋１００と同様にして製造することができる。
【実施例】
【００４３】
以下に、本発明の具体的実施例について説明する。
【００４４】
＜実施例１＞
アルミ蒸着二軸延伸ポリエチレンテレフタレートフィルム１２μｍと二軸延伸ナイロンフィルム１５μｍと無延伸の直鎖状低密度ポリエチレンフィルム１２０μｍとを、それぞれ、２液硬化型ウレタン系接着剤を用いて、ドライラミネーション法によって貼り合わせて、表裏のフィルムおよび底テープとなる積層フィルムを作成した。
【００４５】
この積層フィルムを用いて、図１、図２の包装袋１００のような包装袋を作成した。このとき、注出路の長さａが４５ｍｍ以上長く取れるようにし、注出路の幅ｂを、５ｍｍ、１０ｍｍ、１５ｍｍ、２０ｍｍとし、４種類の包装袋を作成した。
【００４６】
＜評価方法＞
これら包装袋に水を充填密封し、それぞれ、注出路の長さａが、１５ｍｍ、２０ｍｍ、２５ｍｍ、３０ｍｍ、３５ｍｍ、４０ｍｍ、４５ｍｍになるように、ノズルを切断して開封した。
【００４７】
そして、包装袋を倒して、図３の谷部ｄより底シール部４寄りの山部ｃを表裏から押し、内容物を注ぎ出すことができるか否かをチェックした。また、これら、注ぎ出しをチェックした包装袋を床の上に倒した状態で、1日放置し、開封部からの内容物の漏れをチェックした。
【００４８】
注ぎ出せなかったものを、×とした。また、倒して内容物が漏れたものも×とした。注ぎ出すことができ、放置しても漏れのなかった包装袋を○とした。表１に、注出路の長さａと、注出路の幅ｂによる評価結果を示す。
【００４９】
【表１】
2015199523.tif 000003
注出路の長さが、注出路の幅より大きく、注出路の長さが２０ｍｍ以上、４０ｍｍ以下、且つ、注出路の幅が１０ｍｍ以上、１５ｍｍ以下の範囲の包装袋では、注ぎ出すことができて、放置しても漏れがなかった。それ以外の包装袋では、注ぎ出すことができなかったり、漏れがでたりしてしまった。
【００５０】
＜実施例２＞
二軸延伸ナイロンフィルム１５μｍと無延伸の直鎖状低密度ポリエチレンフィルム１２０μｍとを、２液硬化型ウレタン系接着剤を用いて、ドライラミネーション法によって貼り合わせて、表裏のフィルムおよび底テープとなる積層フィルムを作成した。
【００５１】
この積層フィルムを用いて、図４、図５の包装袋２００のような包装袋を作成した。こ
のとき、注出路の長さｆが４５ｍｍ以上長く取れるようにし、注出路の幅ｇを、５ｍｍ、１０ｍｍ、１５ｍｍ、２０ｍｍとし、４種類の包装袋を作成した。
【００５２】
これらの包装袋に水を充填して、それぞれ、注出路の長さｆが、１５ｍｍ、２０ｍｍ、２５ｍｍ、３０ｍｍ、３５ｍｍ、４０ｍｍ、４５ｍｍになるように切断して開封した。
【００５３】
そして、実施例１と同様に評価したところ、実施例１と同様な評価が得られた。すなわち、注出路の長さが、注出路の幅より大きく、注出路の長さが２０ｍｍ以上、４０ｍｍ以下、且つ、注出路の幅が１０ｍｍ以上、１５ｍｍ以下の範囲の包装袋では、注ぎ出すことができて、放置しても漏れがなかった。それ以外の包装袋では、注ぎ出すことができなかったり、漏れがでたりしてしまった。
【００５４】
以上のように、本発明の包装袋は、再封するために折り曲げて係止するといった手間を掛ける必要がなく、開封した状態で倒しても内容物が流れ出す恐れがない。また、口栓などを用いないので、製造に当たっても従来の製造方法と同様な工程で製造でき、製造コストが変わることもない。
【符号の説明】
【００５５】
１００、２００・・・包装袋
１、２１・・・天シール部
２、３、２２、２３・・・サイドシール部
４、２４・・・底シール部
５、２５・・・内容物収納部
６・・・ノズル
７、２７・・・注出路
８、３０・・・開封予定線
９、２９、３１・・・ノッチ
１０、３２・・・独立気体充填室
１１、３３・・・底テープ
１２、３４・・・接合部
ａ、ｆ・・・長さ
ｂ、ｇ・・・幅
ｃ・・・山部
ｄ・・・谷部
ｅ・・・閉塞部
【図１】
2015199523.tif 000004
【図２】
2015199523.tif 000005
【図３】
2015199523.tif 000006
【図４】
2015199523.tif 000007
【図５】
2015199523.tif 000008